【事件の表示】
　上記当事者間の登録第４０４７０５４号商標の登録取消審判事件について、次のとおり審決する。
【結　論】
　本件審判の請求は、成り立たない。
　審判費用は、請求人の負担とする。
【理　由】
１　本件商標
　本件登録第４０４７０５４号商標（以下「本件商標」という。）は、「ＤＯＬＰＨＩＮＥ」の文字を横書きしてなり、平成７年１２月２２日に登録出願、第９類「電気通信機械器具，電子応用機械器具及びその部品」を指定商品として、同９年８月２２日に設定登録され、その後、平成１９年５月２９日に商標権の存続期間の更新登録がされたものである。
　また、本件審判の請求の登録日は、平成２０年７月８日である。
　
２　請求人の主張
　請求人は、商標法第５０条第１項の規定により、本件商標の登録を取り消す、審判費用は被請求人の負担とする、との審決を求めると申し立て、その理由を次のように述べ、証拠方法として甲第１号証（枝番号を含む。）を提出した。
　本件商標は、継続して３年以上日本国内において、商標権者、専用使用権者又は通常使用権者のいずれもが、その指定商品のいずれについても、使用された事実がないから、商標法第５０条第１項の規定により取り消されるべきである。
　
３　被請求人の答弁
　被請求人は、結論同旨の審決を求める、と答弁し、その理由を要旨次のように述べ、証拠方法として乙第１号証ないし乙第２０号証を提出した。
（１）はじめに
　請求人は、欧文字「ＤＯＬＰＨＩＮＥ」からなる本件商標が、その指定商品について過去３年以上使用されていないから、商標法第５０条第１項の規定によりその登録は取り消されるべき旨主張している。
　しかしながら、被請求人は、以下に示すとおり、本件商標を請求に係る指定商品中「電子応用機械器具及びその部品」について、本件審判の予告登録日である平成２０年７月４日（註：８日の誤り）前３年（以下「本件期間」という。）以内に日本国内において使用している。
（２）本件商標を使用している者
　被請求人は、本件商標に係る商標権について、三菱電機インフォメーションシステムズ株式会社（以下「通常使用権者」という。）に通常使用権を許諾しており、本件商標は、その指定商品「電子応用機械器具及びその部品」について、同通常使用権者によって、使用されている。
　まず、平成７年１０月２０日付で、被請求人は、三菱電機株式会社との間において、通常使用権の設定に関する契約を締結した（乙第１号証）。同契約の有効期間は、その締結日より１０年間と設定されていたが、被請求人と三菱電機インフォメーションシステムズ（三菱電機株式会社を株主とする同社の子会社／乙第２号証）は、同契約の有効期間の延長をおこなうべく、平成１７年８月２６日付で、本件商標の使用許諾に関する新たな契約を締結した（乙第３号証）。
　なお、この新たな契約の当事者の一方として、「富士フイルム株式会社」ではなく、「富士写真フイルム株式会社」が、契約書中に記載されている。当該「富士写真フイルム株式会社」は、平成１８年１０月１日付で、その名称を「富士フイルムホールディングス株式会社」に改め、その際同時に、「富士写真フイルム株式会社」から分割される形で、「富士フイルム株式会社」は設立された（乙第４号証及び乙第５号証）。しかして、被請求人は、「富士写真フイルム株式会社」に関わる事業権利について、その一切を承継し、また、前記契約に関する「富士写真フイルム株式会社」の地位についても、被請求人はこれを承継した。
　したがって、当該契約は、被請求人と三菱電機インフォメーションシステムズ株式会社との間において、現在も有効に存続しているものである。
（３）本件商標の使用の態様
　通常使用権者は、以下に詳細に述べるように、本件商標を、その製造・販売に係る製品及びその包装・カタログ・取引書類等に、製品名として、明記している。
　乙第６号証は、通常使用権者の販売に係るコンピュータシステム・プログラムに関するカタログであり、同カタログの表紙ないし説明中に、本件商標が明示されている。その一文を引用すると、「三菱電機は、複数のクライアント・サーバシステムを結ぶ、大規模なネットワーク連携システムの構築／運用を総合的に支援するミドルウェア、ＤｏｌｐｈｉｎｅIIを提供します」と述べられており、当該カタログから、通常使用権者が本件商標を商品「ミドルウェア」（以下「本件商品」という。）について使用していることは明白である。なお、当該カタログは、三菱電機株式会社が「Ｄｏｌｐｈｉｎｅ」を販売していた頃（平成８年当時）のものであるが、現在、「Ｄｏｌｐｈｉｎｅ」を製造・販売している通常使用権者（三菱電機株式会社の子会社）は、同カタログの内容をそのまま引き継ぎ、その販売活動において使用している。
　乙第７号証は、通常使用権者の販売に係るミドルウェア「Ｄｏｌｐｈｉｎｅ」を構成する各種コンピュータプログラム・部品・周辺機器類の一覧であり、その中において、「ＤｏｌｐｈｉｎｅII分散サーバ機能」「ＤｏｌｐｈｉｎｅIIクライアントパッケージ」のように、本件商標を各種コンピュータプログラムの製品名として明示している。もっとも、実際には、被請求人は、各種プログラムをフロッピーディスク等の媒体に記録した形で販売・提供しており、乙第８号証は、そのフロッピーディスク及び関連解説書並びに包装箱の写真である。これらソフトウェアを記録させたフロッピーディスクの表面部・包装用箱の側面部・解説書の表紙には、いずれにも、「Ｄｏｌｐｈｉｎｅ」が明記されている。
　乙第９号証及び乙第１０号証は、通常使用権者の作成に係る見積書の写しである。同見積書の品名欄には、「ミドルウェア（ＤｏｌｐｈｉｎｅII分散サーバ機能他）」と記載されている。また、乙第１１号証も見積書の写しであるが、その見積書添付の別紙「機器／価格明細」において、通常使用権者の販売に係る製品名として、「Ｄｏｌｐｈｉｎｅ」が明示されている。
　乙第１２号証ないし乙第１４号証は、通常使用権者の販売に係るミドルウェア（及びそれを構成するコンピュータプログラム等）の注文書であり、同注文書の商品名称の欄において、「Ｄｏｌｐｈｉｎｅ」が明示されている。
　乙第１５号証ないし乙第１７号証は、通常使用権者の販売に係る製品の納品書の写しである。同納品書の品名欄には、本件商品の内容として、「ＤｏｌｐｈｉｎｅII分散サーバ機能他」「ＤｏｌｐｈｉｎｅIIクライアントパッケージ」が記載されており、通常使用権者が提供するミドルウェア製品「Ｄｏｌｐｈｉｎｅ」に関わるコンピュータプログラムが納品されたことを示している。
　以上のとおり、通常使用権者は、本件商標を、その製造・販売に係る「ミドルウェア（及びそれを構成するコンピュータプログラム等）」を記録したフロッピーディスクに直接貼付し、また、その包装用箱及び解説書等にも貼付している。
（４）本件商標の使用の時期
　通常使用権者が、本件商標を本件期間内に使用していたことは、乙第９号証ないし乙第１７号証の記述からも明らかである。なぜなら、乙第９号証ないし乙第１７号証は、前述したとおり「Ｄｏｌｐｈｉｎｅ」に関する取引書類であり、これらが発行された日付は、いずれも本件期間内のものであるからである。すなわち、乙第９号証は平成１７年８月１０日、乙第１０号証及び乙第１１号証は平成１７年１２月２１日、乙第１２号証及び乙第１３号証は平成１７年１２月８日、乙第１４号証は平成１８年１月１０日、乙第１５号証は平成１９年１０月２３日、乙第１６号証は平成１９年９月２６日、乙第１７号証は平成１７年１０月２６日にそれぞれ発行されている。
　したがって、本件商標が本件期間内にわが国において使用されていたことは明らかである。
（５）本件商品が本件指定商品「電子応用機械器具及びその部品」の範疇に属すること
　通常使用権者は、前述したとおり、本件商標を、業務用のコンピュータネットワークの構築に用いられる本件商品「ミドルウェア」について使用している。もっとも、具体的には、先にも述べたとおり、通常使用権者は、「ミドルウェア」を構成するコンピュータプログラムをフロッピーディスクその他の磁気媒体に記録し、それらを販売している。
　当該「ミドルウェア」とは、小学館発行「ランダムハウス英和大辞典」において、「ハードウェアとソフトウェアの中間的な製品」と説明されており（乙第１８号証）、これをより具体的に説明すると、「ミドルウェア」とは、「コンピュータソフトウェアの分類のうち、オペレーティングシステムとアプリケーションソフトの中間的な処理・動作を行なうソフトウェア」をいう（乙第１９号証）。
　したがって、「ミドルウェア」とは、商品「コンピュータソフトウェア」の一類型を指称するものであるから、本件商品は、「コンピュータソフトウェア等」の範疇に属するものである。しかるところ、「コンピュータソフトウェア」は、特許庁ＩＰＤＬ「商品・役務名リスト」の表示例をみても、「電子応用機械器具及びその部品」の範疇に属するものであることは明らかである。
　したがって、通常使用権者は、本件商標をその指定商品「電子応用機械器具及びその部品」について使用している。
（６）本件商標と使用に係る商標との社会通念上の同一性
　通常使用権者は、本件商標を、主に「Ｄｏｌｐｈｉｎｅ」という態様で使用しているが、当該使用に係る商標と、本件商標とは、以下に述べるとおり、社会通念上同一と認められるものである。
　本件商標は、「ＤＯＬＰＨＩＮＥ」を横書きした構成からなり、これを構成するアルファベット文字はすべて大文字である。一方、使用に係る商標「Ｄｏｌｐｈｉｎｅ」は、これを構成する頭文字だけが大文字で、その他がすべて小文字で構成されている。
　しかしながら、同じアルファベット文字で構成される単語（既存の英単語、造語、人名等々）を、それを使用する各場面に応じて、すべて大文字又は小文字で表現したり、頭文字だけを大文字で表現したりすることは日常的かつ頻繁におこなわれていることであり、大文字・小文字を違えることでその単語から生じる称呼が変化してしまうことはないし、その単語に接する者がアルファベットの文字の大小が異なるからといって、全く異なる意味合いでそれを認識するようなことはおよそあり得ない。また、特許庁の審判便覧においても、ローマ字の大文字と小文字の相互間の使用（例：ＨＩ−ＫＥ　対　ｈｉ−ｋｅ）は、社会通念上同一のものとして扱われる旨明示されている。
　したがって、使用に係る商標は、本件商標とは、単に表示方法を相互に変更するもので、同一の称呼及び観念を生ずるものであるから、社会通念上同一の商標というべきである。
　なお、使用に係る商標の構成中に「II」が含まれることがあるが、「II」は「２」に対応するローマ数字であり、同語は、通例、製品や書物あるいは続編映画作品のバージョン（版）を表現するものとして使用されている。したがって、「II」が、単に製品のバージョン（版）すなわち商品の品質を表示するものであって、商標の要部として認識され得ないことは経験則上も明らかである。これに関連して、かつて三菱電機株式会社は、同社が製造・販売するコンピュータミドルウェアについて、商標「Ｄｏｌｐｈｉｎｅ」を使用していたが、「ＤｏｌｐｈｉｎｅII」は、当該製品の改訂・バージョンアップをおこなったものについて使用されることになったものである（乙第２０号証）。
　したがって、本件についても「II」は、製品のバージョンを表現している語にすぎず、使用に係る商標の要部は、常に「Ｄｏｌｐｈｉｎｅ」としてしか認識されないものであるから、使用に係る商標と本件商標とは、社会通念上同一のものであることは明らかである。
（７）まとめ
　以上詳述したとおり、通常使用権者は、日本国内において、本件審判の予告登録日である平成２０年７月４日（註：８日の誤り）前３年以内に、本件商標と社会通念上同一の商標を本件請求にかかる指定商品中「電子応用機械器具及びその部品」について使用している。
　
４　当審の判断
　被請求人の提出に係る乙第１号証ないし乙第２０号証によれば、通常使用権者が、本件審判請求の登録前３年以内に、本件商標と社会通念上同一と認められる商標を、本件請求に係る指定商品中の「電子応用機械器具及びその部品」の範疇に属する商品「ミドルウェア」について使用していたものと認められる。
　また、請求人は、平成２０年８月２０日付の答弁に対し、何等弁駁するところがない。
　してみれば、本件商標は、被請求人が提出した証拠を総合勘案すれば、通常使用権者により、継続して本件審判の請求の登録前３年以内に日本国内において、本件商標と社会通念上同一と認められる商標を、その指定商品中の「電子応用機械器具及びその部品」に含まれる商品「ミドルウェア」について使用していたものといわなければならない。
　したがって、本件商標の登録は、商標法第５０条の規定により、取り消すべきではない。
　よって、結論のとおり審決する。